(57)【特許請求の範囲】
【請求項１】
重量物に設けられたフックに玉掛けロープを掛けて、該玉掛けロープを介して前記重量物を吊り上げ、吊り降ろす際に、前記玉掛けロープが前記フックから外れるのを防止する脱落防止具であって、
前記フックの先端部と根元部との間に掛け渡されるよう装着される弾性体からなる本体を有し、
前記本体は、一端部に前記フックの根元部を挿通させる孔を有し、他端部に前記先端部を挿通させる孔を有し、前記各孔の直径が前記フックの直径よりも小さく設定されるとともに、前記両孔の中心間の寸法が前記フックの根元部と先端部との中心間距離よりも小さく設定されることを特徴とする脱落防止具。
【請求項２】
前記本体は、帯板状をなしていることを特徴とする請求項１に記載の脱落防止具。
【請求項３】
前記本体は、棒状をなしていることを特徴とする請求項１に記載の脱落防止具。
【請求項４】
前記本体の他端部は二重以上に折り曲げられ、該二重以上に折り曲げられた部分の各片に前記フックの先端部を挿通させる孔がそれぞれ設けられていることを特徴とする請求項２に記載の脱落防止具。
【発明の詳細な説明】
【技術分野】
【０００１】
本発明は、脱落防止具に関し、特に、クレーン等の揚重手段により玉掛けロープを介して重量物の吊り上げ、吊り降ろしを行う際に、玉掛けロープが重量物から脱落するのを防止するのに有効な脱落防止具に関する。
【背景技術】
【０００２】
一般に、クレーン等の揚重手段を用いて重量物の吊り上げ、吊り降ろしを行う場合、揚重手段のフックと重量物との間に玉掛けロープを掛け渡し、揚重手段のフックを昇降させることにより、玉掛けロープを介して重量物の吊り上げ、吊り降ろしを行っている。
【０００３】
このような重量物の吊り上げ、吊り降ろしを行う玉掛け作業においては、玉掛けロープが揚重手段のフック又は重量物から外れて、重量物が落下する等の事故を防止するため、各種の対策が採られている。
【０００４】
例えば、高圧架空電線路の常設の開閉器の取替え工事や、工事用の開閉器の取り付け、取り外しの工事等においては、開閉器の一対のフック間に玉掛けロープを掛け渡して、玉掛けロープの両端部のリングを各フックに掛け、この状態で各フックにバインド線を所定の形状（８の字むすび等）に巻き付けることにより、開閉器の吊り上げ、吊り降ろしの際に、玉掛けロープの両端部のリングが各フックから外れるのを防止している。
【０００５】
また、特許文献１には、搬送用パレットに関する技術が記載され、搬送用パレットに重量物を載せて搬送する際に、搬送パレットの各支持枠材のフックとクレーンのフックとの間に玉掛けワイヤを掛け渡し、各玉掛けワイヤのリングを各支持枠材のフックに掛け、各フックの先端部に設けたゴム棒により、各玉掛けワイヤのリングが各支持枠材のフックから外れるのを防止している。
【０００６】
さらに、特許文献２には、装着用ワイヤ外れ止め治具に関する技術が記載され、玉掛け作業の際に、クレーンのフックに玉掛けワイヤのリングを掛けた上で、クレーンのフックの先端側に円板状の外れ止め治具を装着することにより、玉掛けワイヤのリングがクレーンのフックから外れるのを防止している。
【先行技術文献】
【特許文献】
【０００７】
【特許文献１】特開平８−３３７２４５号公報
【特許文献２】特開２００９−２３４６９６号公報
【発明の概要】
【発明が解決しようとする課題】
【０００８】
しかし、開閉器のフックにバインド線を巻き付けることにより、玉掛けロープのリングが開閉器のフックから外れるのを防止する方法は、バインド線の巻き付けに熟練を要するため、経験の浅い作業者ではバインド線の巻き付けに不具合が生じ、玉掛けロープのリングが開閉器のフックから外れるのを完全に防止することができない。
【０００９】
また、特許文献１に記載の技術は、ゴム棒の先端と支持枠材のフックとの間に隙間が形成されているため、この隙間を介して玉掛けワイヤのリングが支持枠材のフックから外れるおそれがあり、玉掛けワイヤのリングが支持枠材のフックから外れるのを完全に防止することができない。
【００１０】
さらに、特許文献２に記載の技術は、外れ止め付きのクレーンのフックの場合には、玉掛けワイヤのリングがクレーンのフックから外れるのを防止できるが、外れ止めの付いていないフックの場合には、玉掛けワイヤのリングがフックから外れるのを完全に防止することができない。
【００１１】
本発明は、上記のような従来の問題に鑑みなされたものであって、クレーン等の揚重手段を用いて重量物を吊り上げ、吊り降ろす際に、玉掛けロープが重量物から外れるのを完全に防止できる脱落防止具を提供することを目的とする。
【課題を解決するための手段】
【００１２】
上記のような課題を解決するために、本発明は、以下のような手段を採用している。
すなわち、本発明は、重量物に設けられたフックに玉掛けロープを掛けて、該玉掛けロープを介して前記重量物を吊り上げ、吊り降ろす際に、前記玉掛けロープが前記フックから外れるのを防止する脱落防止具であって、前記フックの先端部と根元部との間に掛け渡されるよう装着される弾性体からなる本体を有し、前記本体は、一端部に前記フックの根元部を挿通させる孔を有し、他端部に前記先端部を挿通させる孔を有し、前記各孔の直径が前記フックの直径よりも小さく設定されるとともに、前記両孔の中心間の寸法が前記フックの根元部と先端部との中心間距離よりも小さく設定されることを特徴とする。
【００１３】
本発明の脱落防止具によれば、本体の一端部の孔に重量物のフックを挿通させて、本体の一端部をフックの根元部に位置決めし、フックに玉掛けロープを掛け、フックの先端部を本体の他端部の孔に挿通させることにより、フックに玉掛けロープを掛けた状態で、フックの根元部と先端部との間に本体を掛け渡した状態に装着することができ、これにより、玉掛けロープのリングがフックから外れるのを防止できる。
この場合、本体は、弾性体から形成されるとともに、本体の各孔の直径はフックの直径よりも小さく設定され、本体の両孔の中心間の寸法はフックの根元部と先端部との中心間の距離よりも小さく設定されているので、本体をフックの根元部と先端部との間に緊張した状態で、かつ、フックと各孔との間に緩みをなくした状態で装着することができ、本体がフックの根元部と先端部との間から脱落するのを防止でき、玉掛けロープがフックから外れるのを効果的に防止できる。
【００１４】
また、本発明において、前記本体は、帯板状をなしていることとしてもよい。
【００１５】
本発明の脱落防止具によれば、重量物のフックに玉掛けロープを掛け、この状態でフックの根元部と先端部との間に帯板状の本体を掛け渡すように装着することにより、玉掛けロープがフックから外れるのを防止できる。
【００１６】
さらに、本発明において、前記本体は、棒状をなしていることとしてもよい。
【００１７】
本発明の脱落防止具によれば、重量物のフックに玉掛けロープを掛け、この状態でフックの根元部と先端部との間に棒状の本体を掛け渡すように装着することにより、玉掛けロープがフックから外れるのを防止できる。
【００１８】
また、本発明において、前記本体の他端部は二重以上に折り曲げられ、該二重以上に折り曲げられた部分の各片に前記フックの先端部を挿通させる孔がそれぞれ設けられていることとしてもよい。
【００１９】
本発明の脱落防止具によれば、本体の他端部の二重に折り曲げられた部分の両片の孔にフックの先端部を挿通させることにより、二重に折り曲げられた部分の復元力によって本体の他端部がフックの先端部から脱落するのを防止でき、玉掛けロープがフックから外れるのを効果的に防止できる。
【発明の効果】
【００２２】
以上、説明したように、本発明の脱落防止具によれば、重量物のフックに玉掛けロープを掛けた状態で、フックの根元部と先端部との間に本体を掛け渡すように装着することにより、フックから玉掛けロープが外れるのを防止できる。
この場合、本体は、弾性体から形成されるとともに、本体の各孔の直径はフックの直径よりも小さく設定され、本体の両孔の中心間の寸法はフックの根元部と先端部との中心間の距離よりも小さく設定されているので、本体をフックの根元部と先端部との間に緊張した状態で、かつ、フックと各孔との間に緩みをなくした状態で装着することができ、本体がフックの根元部と先端部との間から脱落するのを防止でき、玉掛けロープがフックから外れるのを効果的に防止できる。
従って、重量物の吊り上げ、吊り降ろしの作業の際に、玉掛けロープが重量物のフックから外れて重量物が落下するようなことはなく、重量物の吊り上げ、吊り降ろしの作業を安全に行うことができる。
【図面の簡単な説明】
【００２３】
【図１】本発明による脱落防止具の一実施の形態を示した平面図である。
【図２】図１の正面図である。
【図３】図１の脱落防止具の他端部を折り曲げた状態を示した正面図である。脱落防止具の装着状態を示した説明図である。
【図４】図１の脱落防止具の装着状態を示した説明図である。
【図５】図１の脱落防止具の装着手順を示した説明図であって、本体の第１の孔内にフックの根元部を挿通させた状態を示した説明図である。
【図６】図１の脱落防止具の装着手順を示した説明図であって、フックに玉掛けロープのリングを掛けた状態を示した説明図である。
【図７】図１の脱落防止具の装着手順を示した説明図であって、本体の第２の孔内にフックの先端部を挿通させた状態を示した説明図である。
【図８】図１の脱落防止具の装着手順を示した説明図であって、本体の第２の孔内、及び第３の孔内にフックの先端部を挿通させた状態を示した説明図である。
【図９】脱落防止具の変形例を示した平面図である。
【発明を実施するための形態】
【００２４】
以下、図面を参照しながら本発明の実施の形態について説明する。図１〜図４には、本発明による脱落防止具の一実施の形態が示されている。本発明の脱落防止具１は、重量物をクレーンやウインチ等の揚重手段によって吊り上げ、吊り降ろす作業に有効なものであって、本実施の形態では、高圧架空電線路の常設の開閉器や工事用の開閉器を重量物とし、この重量物としての開閉器１０の取替え工事、取り付け、取り外し工事等に本発明の脱落防止具１を適用している。
【００２５】
開閉器１０は、図４に示すように、例えば、重量が３０〜１００ｋｇ程度の略直方体状をなすものであって、地上高８ｍ付近の電柱の上部に設置される。このため、開閉器１０の吊り上げ、吊り降ろしの作業には、滑車、高所作業車のウインチ等の揚重手段を用いる。
【００２６】
ウインチ等の揚重手段によって開閉器１０の吊り上げ、吊り降ろしの作業を行うには、例えば、開閉器１０の上部中央部に設けられている一対のフック１１、１１間に玉掛けロープ１３を掛け渡し、この玉掛けロープ１３に揚重手段のフック１５を掛け、フック１５を昇降させることにより、開閉器１０の吊り上げ、吊り降ろしを行う。
【００２７】
具体的には、１本の玉掛けロープ１３を用い、この玉掛けロープ１３の両端のリング１４を開閉器１０の各フック１１に掛けることにより、開閉器１０の両フック１１、１１間に１本の玉掛けロープ１３を掛け渡し、この状態で玉掛けロープ１３の中央部に揚重手段のフック１５を掛ける。
【００２８】
開閉器１０の各フック１１は、図５〜図８に示すように、丸棒をＵ形状に折り曲げて構成したものであって、開閉器１０の上部中央の両側に下向きＵ形状となるように溶接等によって一体に連結されている。各フック１１を玉掛けロープ１３の両端部のリング１４内を挿通させることにより、両フック１１、１１間に玉掛けロープ１３が掛け渡される。
【００２９】
玉掛けロープ１３は、所定の基準を満たしたものであれば特に制限はなく、化学繊維、天然繊維からなる玉掛けロープの他、玉掛けワイヤロープを用いることもできる。なお、本実施の形態においては、化学繊維からなる玉掛けロープ１３を用いている。
【００３０】
なお、図示はしないが、２本の玉掛けロープ１３、１３を用い、各玉掛けロープ１３の一端のリング１４を開閉器１０の各フック１１に掛け、他端のリング１４を揚重手段のフック１５に掛けることにより、開閉器１０の各フック１１と揚重手段のフック１５との間に２本の玉掛けロープ１３、１３を掛け渡してもよい。
【００３１】
本実施の形態の脱落防止具１は、図１〜図３に示すように、ゴム等の弾性体から形成される帯板状の本体２を備えている。本体２の一端部には、開閉器１０のフック１１の根元部１１ａを挿通させる円形状の第１の孔８が設けられ、他端部には、開閉器１０のフック１１の先端部１１ｂを挿通させる円形状の第２の孔４、及び第３の孔５が所定の間隔をおいて設けられている。
【００３２】
本体２の一端部の第１の孔３内に開閉器１０のフック１１の根元部１１ａを挿通させ、本体２の他端部を二重に折り曲げた状態で、本体２の他端部の第２の孔４及び第３の孔５内に開閉器１０のフック１１の先端部１１ｂを挿通させることにより、本体２が開閉器１０のフック１１の根元部１１ａと先端部１１ｂとの間に掛け渡された状態に装着される。
【００３３】
本体２の第１の孔３、第２の孔４、及び第３の孔５の直径は、開閉器１０のフック１１の直径よりもやや小さく設定されている。また、本体２の第１の孔３と第２の孔４との中心間の寸法は、開閉器１０のフック１１の根元部１１ａと先端部１１ｂとの中心間の距離よりもやや小さく設定されている。
【００３４】
これにより、本体２を開閉器１０のフック１１の根元部１１ａと先端部１１ｂとの間に緊張した状態で、かつ、フック１１と各孔３、４、５との間に緩みをなくした状態で装着することができるので、本体２が開閉器１０のフック１１から脱落するのを防止できる。
【００３５】
また、本体２の他端部は、二重に折り曲げられた状態で開閉器１０のフック１１の先端部１１ｂに装着されるので、折り曲げられた部分が元に戻ろうとする復元力により、本体２の他端部の下側の片を開閉器１０のフック１１の先端部１１ｂに押し付けることができ、本体２の他端部が開閉器１０のフック１１の先端部１１ｂから脱落するのを防止できる。
【００３６】
そして、上記のように構成した本実施の形態の脱落防止具１を用いて、開閉器１０の吊り上げ、吊り降ろしの作業を行うには、まず、図５に示すように、脱落防止具１、１を２つ用意し、各脱落防止具１の本体２の一端部の第１の孔３内に開閉器１０の各フック１１を挿通させ、各フック１１の根元部１１ａ方向に本体２を移動させることにより、各脱落防止具１の本体２の一端部を各フック１１の根元部１１ａに位置決めする。
【００３７】
次に、図６に示すように、開閉器１０の各フック１１を玉掛けロープ１３の両端部のリング１４内に挿通させることにより、開閉器１０の両フック１１、１１間に玉掛けロープ１３を掛け渡す。
【００３８】
次に、図７に示すように、各脱落防止具１の本体２の第２の孔４内に開閉器１０の各フック１１の先端部１１ｂを挿通させる。この場合、各脱落防止具１の本体２の第１の孔８と第２の孔９との中心間の寸法は、開閉器１０の各フック１１の根元部１１ａと先端部１１ｂとの中心間の距離よりもやや小さく設定されているので、各脱落防止具１の本体２を引き延ばすようにして、第２の孔４内に開閉器１０の各フック１１の先端部１１ｂを挿通させる。
【００３９】
次に、図８に示すように、各脱落防止具１の本体２の他端部を第２の孔４と第３の孔５との間から図中下方に折り曲げて、一端部の方向に折り返すことにより二重に形成し、折り曲げた部分の下側の片の第３孔５内に開閉器１０の各フック１１の先端部１１ｂを挿通させる。
【００４０】
このようにして、開閉器１０の両フック１１、１１間に玉掛けロープ１３を掛け渡し、各フック１１に脱落防止具１を装着した上で、玉掛けロープ１３の長手方向の中央部にウインチ等の揚重手段のフック１５を掛ける（図４参照）。
【００４１】
そして、揚重手段を作動させてフック１５を昇降させることにより、玉掛けロープ１３を介して開閉器１０の吊り上げ、吊り降ろしの作業を行うことができ、電柱の上部に設置されている常設の開閉器１０の取替え、工事用の開閉器１０の電柱の上部への取り付け、取り外し等の工事を行うことができる。
【００４２】
上記のように構成した本実施の形態の脱落防止具１にあっては、開閉器１０の各フック１１の根元部１１ａと先端部１１ｂとの間に掛け渡されるように装着されているので、開閉器１０の吊り上げ、吊り降ろしの際に、玉掛けロープ１３のリング１４が開閉器１０の各フック２２から外れるのを防止でき、開閉器２０の吊り上げ、吊り降ろしの作業を安全に行うことができる。
【００４３】
この場合、脱落防止具１の本体２は、第１の孔３と第２の孔４との中心間の寸法が開閉器１０の各フック１１の根元部１１ａと先端部１１ｂとの中心間の距離よりも小さく設定され、緊張された状態で開閉器１０の各フック１１の根元部１１ａと先端部１１ｂとの間に掛け渡されているので、各フック１１から脱落するのを防止でき、玉掛けロープ１３のリング１４が開閉器１０の各フック１１から外れるのを確実に防止できる。
【００４４】
また、脱落防止具１の本体２の他端部は二重に折り曲げられ、この折り曲げられた部分に第２の孔４及び第３の孔５が設けられ、この第２の孔４及び第３の孔５内に開閉器１０の各フック１１の先端部１１ｂが挿通されているので、折り曲げられた部分の復元力によって脱落防止具１の本体２の他端部が開閉器１０の各フック１１の先端部１１ｂから脱落するのを防止でき、玉掛けロープ１３のリング１４が開閉器１０の各フック１１から外れるのを確実に防止できる。
【００４５】
なお、前記の説明においては、脱落防止具１の本体２の他端部を二重に折り曲げたが、本体２の他端部を３重以上に折り曲げてもよい。３重以上に折り曲げる場合には、折り曲げた部分の各片に開閉器１０のフック１１の先端部１１ｂを挿通させる孔をそれぞれ設ければよい。
【００４６】
また、本体２の他端部を折り曲げずに、帯板状のままの状態で開閉器１０のフック１１の根元部１１ａと先端部１１１ｂとの間に装着してもよい。その場合には、本体２の一端部及び他端部にそれぞれ１つの孔を設け、一端部の孔と他端部の孔の中心間の寸法を、開閉器１０のフック１１の根元部１１ａと先端部１１ｂの中心間の距離よりも短く設定し、本体２を緊張させた状態で開閉器１０のフック１１の根元部１１ａと先端部１１ｂとの間に装着すればよい。
【００４７】
さらに、前記の説明においては、本体２を帯板状に形成したが、図９に示すように、本体２を棒状に形成し、この棒状に形成した本体２の両端部に環状のリング部６を一体に形成し、このリング部６の内側を開閉器１０のフック１１の根元部１１ａを挿通させる第１の孔３、及び先端部１１ｂを挿通させる第２の孔４として機能させてもよい。
【００４８】
さらに、前記の説明においては、開閉器１０を重量物として、開閉器１０の吊り上げ、吊り降ろしの作業に本発明の脱落防止具１を適用したが、その他の各種の重量物の吊り上げ、吊り降ろしの作業に本発明の脱落防止具を適用してもよいものであり、その場合にも、同様の作用効果を奏する。
【符号の説明】
【００４９】
１  脱落防止具
２  本体
３  第１の孔
４  第２の孔
５  第３の孔
６  リング部
８  第１の孔
９  第２の孔
１０  重量物（開閉器）
１１  フック
１１ａ  根元部
１１ｂ  先端部
１３  玉掛けロープ
１４  リング
１５    フック
【図１】
0005349539.tif 000002
【図２】
0005349539.tif 000003
【図３】
0005349539.tif 000004
【図４】
0005349539.tif 000005
【図５】
0005349539.tif 000006
【図６】
0005349539.tif 000007
【図７】
0005349539.tif 000008
【図８】
0005349539.tif 000009
【図９】
0005349539.tif 000010